(57)【要約】【課題】  梱包される物品に対する汎用性が高く、梱包時および開封時における作業効率が高く、廃棄物を出さない梱包手段を提供する。【解決手段】  梱包構造１０は、２つの外枠１１，１１’を組み合わせて嵌合させ、梱包される物品１をその間に挟み込んで梱包する。まず、物品受け２０を取り付けた外枠１１，１１’を用意する。用意した外枠１１’の上側開口部１１ａのフィルム３上に、梱包する物品１を物品保持領域２の区画に従って置く。外枠１１’の上から外枠１１をかぶせ、外枠１１’の上開口部１１ａと外枠１１の下開口部１１ｂとをそれぞれ嵌合させる。外枠１１，１１’のそれぞれのフィルム３は伸縮性があるため、所定の張力で物品１を包み込んで梱包する。【選択図】  図１
2006225024.tif 000002
【特許請求の範囲】
【請求項１】
第１の外枠と第２の外枠とを組み合わせて物品を梱包する梱包構造であって、
前記第１および第２の外枠は、
一対の開口部と、
前記一対の開口部に張られた伸縮性を有するフィルムと、
をそれぞれ備え、
前記第１および第２の外枠のそれぞれにおける前記一対の開口部のいずれか一方同士を、物品を間に挟んで嵌合させることによって物品を梱包する梱包構造。
【請求項２】
第１の外枠と第２の外枠と中間枠とを組み合わせて物品を梱包する梱包構造であって、
前記第１および第２の外枠は、
一対の開口部と、
前記一対の開口部に張られた伸縮性を有するフィルムと、
をそれぞれ備え、
前記中間枠は一対の開口部を備え、
前記第１および第２の外枠のそれぞれにおける前記一対の開口部のいずれか一方を、物品が入った前記中間枠における前記一対の開口部にそれぞれ嵌合させることによって物品を梱包する梱包構造。
【請求項３】
前記フィルムが張られた物品受けが前記開口部に着脱自在に取り付けられることによって、前記フィルムが前記開口部に張られている、請求項１または２の梱包構造。
【請求項４】
前記物品受けには、前記フィルムを区画する着脱自在の仕切りが取り付けられている、請求項３に記載の梱包構造。
【請求項５】
前記フィルムには、前記フィルムより伸縮性が低く、前記フィルムを区画する仕切材が設けられている、請求項１ないし３のいずれか１項の梱包構造。
【請求項６】
前記フィルムの内面には、前記仕切材の区画にその縁部を沿わせたカップが設けられている、請求項５の梱包構造。
【請求項７】
前記第１および第２の外枠における前記一対の開口部の少なくともいずれか一方には、
前記開口部同士を嵌合させるときには、前記開口部同士の嵌合を補助し、
前記開口部を接地させるときには、前記開口部に張られたフィルムが接地することを防ぐ、
嵌合脚が設けられている、請求項１ないし６のいずれか１項の梱包構造。
【請求項８】
一対の開口部と前記一対の開口部に張られた伸縮性を有するフィルムとをそれぞれ備えた第１および第２の外枠を用意するステップと、
前記第１および第２の外枠のそれぞれにおける前記一対の開口部のいずれか一方同士を、物品を間に挟んで嵌合させることによって物品を梱包するステップと、
を含む梱包方法。
【請求項９】
一対の開口部と前記一対の開口部に張られた伸縮性を有するフィルムとをそれぞれ備えた第１および第２の外枠と、一対の開口部を備えた中間枠とを用意するステップと、
前記第１および第２の外枠のそれぞれにおける前記一対の開口部のいずれか一方を、物品が入った前記中間枠における前記一対の開口部にそれぞれ嵌合させることによって物品を梱包するステップと、
を含む梱包方法。
【発明の詳細な説明】
【技術分野】
【０００１】
本発明は、梱包構造に関する。
【背景技術】
【０００２】
物流梱包には段ボール箱、プラスチックコンテナ、木箱、金属製箱等が使われる。また、物品を汚れや衝撃から守るためにポリ袋、紙袋等に入れ、かつ、緩衝包装材や気泡緩衝シート等を緩衝材として用いる個別包装が知られている。さらに、物品の包装構造内箱となる台紙を折り曲げることにより、台紙上に設けたフィルムを緊張させ、フィルムと台紙との間に挿入された被包装物品を台紙上に包装する構造がある（特許文献１参照）。
【特許文献１】特開２００１−２１３４７８号公報
【発明の開示】
【発明が解決しようとする課題】
【０００３】
しかし、上記梱包構造は、物品ごとの個別包装に用いられ、物品専用仕様の内箱、外箱を用意する必要がある。また、物品を入れる際には、台紙上に物品を置く、緊張させたフィルムを掛け止めする、内箱を外箱に入れる等の作業が必要であり、物品を取り出す際には、逆に、内箱を外箱から取り出す、緊張させたフィルムを掛け止めから外す、台紙上から物品を取り出す等の作業が不可欠であるため、作業が簡単とはいえない。さらに、製品ごとに専用仕様の梱包資材は、少量多品種の製品に対する対応や異なる製品に対する梱包資材としては問題が残る。また、現在、用いられている梱包構造は、容器（いわゆる箱）の中に物品が収納されることで成立する。したがって、物品の出し入れには容器の中に作業者の手（腕）を入れる必要があり、自動機を使用する場合においても自動機のハンド部分を挿入させる必要があるため、作業性や作業効率を低下させている事実がある。さらに、製品ごとに専用仕様の梱包資材において、緩衝材として使用された緩衝包装材や気泡緩衝シート等は再利用されることなく廃棄されることが多く、廃棄物を削減しようとする昨今の取り組みでは問題となる。
【０００４】
本発明は、斯かる点に鑑みてなされたものであって、その目的は、梱包される物品に対する汎用性が高く、梱包時および開封時における作業効率が高く、廃棄物を出さない梱包手段を提供することにある。
【課題を解決するための手段】
【０００５】
本発明は、第１の外枠と第２の外枠とを組み合わせて物品を梱包する梱包構造であって、第１および第２の外枠は、一対の開口部と、一対の開口部に張られた伸縮性を有するフィルムとをそれぞれ備え、第１および第２の外枠のそれぞれにおける一対の開口部のいずれか一方同士を、物品を間に挟んで嵌合させることによって物品を梱包することを特徴とする。
【０００６】
この構成によれば、伸縮性を有するフィルムにより被梱包物を梱包するので、様々な種類や大きさの梱包物に対応することができ、汎用性が高い。また、外枠の開口部に張られたフィルムで被梱包物を梱包するので、梱包時および開封時に容器内に手を入れる必要がなく、作業効率を向上できる。さらに、伸縮性を有するフィルムが緩衝材として働くので、緩衝包装材や気泡緩衝シート等を使用する必要がなく、廃棄物を出さなくて済む。
【０００７】
また本発明の他の態様としては、第１の外枠と第２の外枠と中間枠とを組み合わせて物品を梱包する梱包構造であって、第１および第２の外枠は、一対の開口部と、一対の開口部に張られた伸縮性を有するフィルムとをそれぞれ備え、中間枠は一対の開口部を備え、第１および第２の外枠のそれぞれにおける一対の開口部のいずれか一方を、物品が入った中間枠における一対の開口部にそれぞれ嵌合させることによって物品を梱包することを特徴とする。
【０００８】
この構成によれば、上記作用効果に加えて、中間枠を用いて物品を梱包するので、中間枠の容積の分だけ、より大きな物品を梱包することができる。
【０００９】
この場合、フィルムが張られた物品受けが開口部に着脱自在に取り付けられることによって、フィルムが開口部に張られていることが好適である。
【００１０】
この構成によれば、フィルムが張られた物品受けが開口部に着脱自在に取り付けられているので、例えば梱包される物品の種類や大きさに応じて物品受けを交換することができる。
【００１１】
この場合、物品受けには、フィルムを区画する着脱自在の仕切りが取り付けられていることが好適である。
【００１２】
この構成によれば、物品受けにはフィルムを区画する着脱自在の仕切りが取り付けられているので、例えば梱包される物品の種類や大きさに応じて仕切りを交換して、物品の梱包の態様を自在に変更することができる。
【００１３】
あるいはフィルムには、フィルムより伸縮性が低く、フィルムを区画する仕切材が設けられていることが好適である。
【００１４】
この構成によれば、フィルムに接着されたフィルムより伸縮性が低い仕切材が、フィルムを仕切って区画するので、物品受け枠に板状仕切や線状仕切を設けなくともフィルムを区画できる。
【００１５】
この場合、フィルムの内面には、仕切材の区画にその縁部を沿わせたカップが設けられていることが好適である。
【００１６】
この構成によれば、フィルムの内面に仕切材の区画にその縁部を沿わせたカップが設けられているので、梱包された物品をフィルムの収縮力により保持しきれない場合にも、カップによって物品を保持することができる。
【００１７】
この場合、第１および第２の外枠における一対の開口部の少なくともいずれか一方には、開口部同士を嵌合させるときには、開口部同士の嵌合を補助し、開口部を接地させるときには、開口部に張られたフィルムが接地することを防ぐ嵌合脚が設けられていることが好適である。
【００１８】
この構成によれば、開口部をパレット面上や作業台上に接地させるときには、開口部に張られたフィルムがパレットや作業台に接することを防ぐので、フィルムがパレットや作業台に接して破れたり、汚れたりすることを防ぐことができる。なお、本発明における「接地」とは、地面に接する以外にも、パレット面や作業台面に接することも含まれる。
【００１９】
また本発明の別の態様によれば、一対の開口部と一対の開口部に張られた伸縮性を有するフィルムとをそれぞれ備えた第１および第２の外枠を用意するステップと、第１および第２の外枠のそれぞれにおける一対の開口部のいずれか一方同士を、物品を間に挟んで嵌合させることによって物品を梱包するステップとを含む梱包方法が提供される。
【００２０】
また本発明の別の態様によれば、一対の開口部と一対の開口部に張られた伸縮性を有するフィルムとをそれぞれ備えた第１および第２の外枠と、一対の開口部を備えた中間枠とを用意するステップと、第１および第２の外枠のそれぞれにおける一対の開口部のいずれか一方を、物品が入った中間枠における一対の開口部にそれぞれ嵌合させることによって物品を梱包するステップとを含む梱包方法が提供される。
【発明の効果】
【００２１】
本発明による梱包構造によれば、梱包される物品に対する汎用性が高く、梱包時および開封時における作業効率が高く、廃棄物を出さない梱包構造が提供される。
【発明を実施するための最良の形態】
【００２２】
以下、本発明の実施の形態に係る梱包構造および梱包方法について添付図面を参照して説明する。
【００２３】
図１は本発明の第１実施形態に係る梱包構造を示す斜視図である。図１に示すように、本実施形態に係る梱包構造１０は、２つの外枠１１，１１’を組み合わせて嵌合させ、梱包される物品１をその間に挟み込んで梱包するように構成されている。本実施形態に係るそれぞれの外枠１１，１１’には、物品受け２０が着脱自在に取り付けられ、物品受け２０に張られたフィルム３により、梱包する物品１を保持する物品保持領域２が形成される。以下、各部について説明する。
【００２４】
図２は本発明の第１実施形態に係る物品受けを示す斜視図である。図２に示すように、本実施形態に係る物品受け２０は、長方形の外郭を規定する物品受け枠２１から構成されている。物品受け枠２１には格子状に板状仕切２２と線状仕切２３が着脱自在に取り付けられている。物品受け枠２１の内面には、板状仕切２２の両端部に形成されている凸状の切欠部２２ａを挿入して嵌合させるための凹状の切欠部２１ａが設けられており、板状仕切２２の位置を固定できるようになっている。また、物品受け枠２１の外面には線状仕切２３を挿入する溝２１ｂあるいは孔穴が設けられている。図２に示すように、これらの切欠部２１ａおよび溝２１ｂは物品受け枠２１に複数設けられており、板状仕切２２および線状仕切２３を必要に応じて取り付けることにより、任意に区画された物品保持領域２を形成することができるようになっている。
【００２５】
なお、板状仕切２２及び線状仕切２３を取り付けることによって、あるいは線状仕切２３だけを取り付けることによって、板状仕切２２のみを用いた場合のように、板状仕切２２同士の交差する交点部分に切欠きを設ける必要がなくなり、物品保持領域２を仕切る自由度を高めることができる。物品受け枠２１および板状仕切２２は、ポリプロピレンやポリカーボネート等の合成樹脂製の棒材または板材からなる。また、線状仕切２３は、弾性を有する金属線またはポリプロピレンやポリアミド等の合成樹脂製の線材からなる。
【００２６】
物品受け枠２１にはフィルム３が張られる。フィルム３は、合成樹脂製のフィルムシート、薄布、薄網等の伸縮性を有する素材からなる。フィルム３の伸縮性については、大きく重い物品を梱包する際には伸縮性の低い素材を用い、小さく軽い物品を梱包する際にはより伸縮性の高い素材を用いる。板状仕切２２、線状仕切２３を取り付けた物品受け枠２１にフィルム３を巻き付けたり、溶着等により接着することにより、フィルム３上に区画された物品保持領域２が形成される。
【００２７】
図３は本発明の第１実施形態に係る外枠を示す斜視図である。外枠１１は長方形の外郭を規定し、一対となる上開口部１１ａと下開口部１１ｂを有し、上述の物品受け２０が着脱自在に取り付けられる。外枠１１の内面には物品受け枠支持部１２が設けられ、取り付けられる物品受け２０を支持して固定する構造となっている。また、外枠の下開口部１１ｂには、その四方の隅または対向する二方の隅に嵌合脚１３が設けられている。嵌合脚１３は、外枠の開口部同士を組み合わせるときには開口部同士の嵌合を補助する。また、開口部を接地させるときには、開口部に張られたフィルムが接地することを防ぐ。これにより、フィルムがパレット面や作業机上面に接触して汚れたり、破れたりすることを防止する。外枠１１は、合成樹脂製のポリプロピレンやポリカーボネート等の射出成型品として製造することができる。
【００２８】
図１に戻り、外枠１１の上開口部１１ａと下開口部１１ｂには、物品受け２０がそれぞれ取り付けられる。外枠１１に取り付けられた物品受け２０は、嵌合した両者間の摩擦力によって固定される。あるいは、外枠１１と物品受け２０との結合部に爪と爪受けを設け、下開口部１１ｂに取り付けた物品受け２０が重力によって、容易に外れないようにすることもできる。
【００２９】
以下、本実施形態の梱包構造を用いた梱包方法について説明する。図１に示すように、まず、物品受け２０を取り付けた外枠１１，１１’を用意する。次に、用意した外枠１１’の上側開口部１１ａのフィルム３上に、梱包する物品１を物品保持領域２の区画に従って置く。そして、外枠１１’の上から外枠１１をかぶせ、外枠１１’の上開口部１１ａと外枠１１の下開口部１１ｂとを嵌合脚１３を利用してそれぞれ嵌合させる。すると、外枠１１，１１’のそれぞれのフィルム３は伸縮性があるため、所定の張力で物品１を包み込んで梱包する。さらに、上側の外枠１１の上側開口部１１ａのフィルム３上に新たな物品１を置き、新たな外枠を同様にかぶせて段積みにすることにより、多数の物品を梱包することができる。開封時には、上から外枠１１を外して、フィルム３上の物品を取る。
【００３０】
本実施形態の梱包方法においては、伸縮性を有するフィルムにより物品を梱包するので、物品の形状および大きさについて高い汎用性が得られる。また、従来の梱包方法のように箱の中に手を入れて物品を梱包したり開封する作業が不要になるので、作業効率が向上する。さらに、伸縮性を有するフィルムが緩衝材として働くので、緩衝包装材や気泡緩衝シート等を使用する必要がなく、廃棄物を出さなくて済む。
【００３１】
図４は本発明の第２実施形態に係る物品受けを示す斜視図である。図４に示すように、本実施形態の物品受け３０は、物品受け枠３１に張られたフィルム３上に、フィルム３よりも伸縮性が低い仕切材３２が接着されていることが上記第１実施形態とは異なる。図４に示すように仕切材３２は、伸縮性の低い材質の合成樹脂か金属からなる格子状の網が、フィルム３に溶着等により接着されている。
【００３２】
本実施形態においては、フィルム上に接着された仕切材により物品保持領域が区画されているため、板状仕切や線状仕切が不要である。そのため、梱包構造を製造するコストが軽減される。本実施形態は、小型で軽量かつ薄い物品を梱包するのに特に適しており、例えばＩＣチップ等を梱包する際に、細かい網目状の仕切材をフィルム上に接着して、微小な物品を多数の区画に梱包することができる。
【００３３】
図５は本発明の第３実施形態に係る物品受けを示す斜視図である。図５に示すように、本実施形態の物品受け４０は、上記第３実施形態の仕切材が設けられたフィルム３の内面に、さらに仕切材の区画にその縁部を沿わせたカップ部４２が設けられていることが上記第２実施形態とは異なる。本実施形態の物品受け４０は、例えば、区画に適合する複数のカップ部４２を、低い伸縮性の合成樹脂を一体成型することにより製造し、その縁部により高い伸縮性の合成樹脂製のフィルムを溶着し、それらを物品受け枠４１に取り付けることによって製造することができる。
【００３４】
本実施形態においては、カップ部も補助的に梱包される物品を保持するので、フィルムが大きく伸びる大きく重い物品や、傷つきやすい果実等を梱包するときでも、安定して物品を梱包することができる。また、フィルムが破れた場合においても、物品はカップ部により保持されるので、物品の破損を防止することができる。
【００３５】
図６は本発明の第４実施形態に係る梱包構造を示す斜視図である。図６に示すように、本実施形態の梱包構造１００においては、２つの外枠１１，１１’に加えて中間枠５０をさらに組み合わせて物品１の梱包を行う点が、上記第１実施形態と異なる。図７は本発明の第４実施形態に係る中間枠である。図７に示すように、本実施形態の中間枠５０は、全体として長方形の外郭を規定し、１対となる上開口部５０ａおよび下開口部５０ｂを有する。しかし、物品受けやフィルムは設けられていない。上開口部５０ａから下開口部５０ｂに至る長さ、すなわち中間枠５０の厚みは、梱包する物品の大きさに従って厚くする。中間枠５０は、外枠と同様に、合成樹脂製のポリプロピレンやポリカーボネート等の射出成型品として製造することができる。なお、中間枠５０には、外枠と嵌合する手段が別途設けられていても良い。また、本実施形態に係る中間枠は、図７のように別途、中間枠を用意する他に、図３に示すような物品受けを取り外した外枠を中間枠として用いることもできる。
【００３６】
図７に戻り、本実施形態に係る梱包構造１００により、物品の梱包を行う方法について説明する。本実施形態では、まず上記第１実施形態と同様に、下側の外枠１１’のフィルム３上に物品１を置く。次に、中間枠５０を下側の外枠１１’の上からかぶせ、下側の外枠１１’の上開口部１１ａと中間枠５０の下開口部５０ｂとを合わせる。そして、中間枠５０に上側の外枠１１を上からかぶせ、中間枠５０の上開口部５０ａと上側の外枠１１の下開口部１１ｂとを合わせる。さらに、上側の外枠１１の嵌合脚１３により、外枠１１，１１’および中間枠５０の３者を嵌合させる。すると、中間枠５０の厚さの分だけ、フィルム３の伸びは抑えられるため、より大きい物品を梱包することができる。
【００３７】
尚、本発明の梱包構造および梱包方法は、上記した実施の形態に限定されるものではなく、本発明の要旨を逸脱しない範囲内において種々変更を加え得ることは勿論である。
【図面の簡単な説明】
【００３８】
【図１】本発明の第１実施形態に係る梱包構造を示す斜視図である。
【図２】本発明の第１実施形態に係る物品受けを示す斜視図である。
【図３】本発明の第１実施形態に係る外枠を示す斜視図である。
【図４】本発明の第２実施形態に係る物品受けを示す斜視図である。
【図５】本発明の第３実施形態に係る物品受けを示す斜視図である。
【図６】本発明の第４実施形態に係る梱包構造を示す斜視図である。
【図７】本発明の第４実施形態に係る中間枠を示す斜視図である。
【符号の説明】
【００３９】
１…物品、２…物品保持領域、３…フィルム、１０，１００…梱包構造、１１，１１’…外枠、１１ａ…上開口部、１１ｂ…下開口部、１２…物品受け枠支持部、１３…嵌合脚、２０，３０，４０…物品受け、２１，３１，４１…物品受け枠、２１ａ…切欠部、２１ｂ…溝、２２…板状仕切、２２ａ…切欠部、２３…線状仕切、３２…仕切材、４２…カップ部、５０…中間枠、５０ａ…上開口部、５０ｂ…下開口部。
【図１】
2006225024.tif 000003
【図２】
2006225024.tif 000004
【図３】
2006225024.tif 000005
【図４】
2006225024.tif 000006
【図５】
2006225024.tif 000007
【図６】
2006225024.tif 000008
【図７】
2006225024.tif 000009